(57)【特許請求の範囲】
【請求項１】
複数個の支柱の間隔を伸縮可能で、かつ伸縮しても高さ位置が変化しない部位に枢支ピンで枢支され、一端部が一方の建物の通路の両側部の躯体に枢支され、他端部が他方の建物の通路の両側部の躯体に枢支された一対の伸縮リンク機構と、この一対の伸縮リンク機構の対応する部位の複数個の支柱の上部に両端部が取付けられた複数個の天井パネル支持杆と、この複数個の天井パネル支持杆に先端部が重なり合うように取付けられた複数枚の天井パネルとからなることを特徴とする天井目地カバー装置。
【請求項２】
伸縮リンク機構は四角枠が複数個接続された状態のパンタグラフ形状の少なくとも２個以上のリンク機構と、このリンク機構の両端部に取付けられた一方の建物の通路の両側部の躯体および他方の建物の通路の両側部の躯体に枢支させることができる枢支具と、前記少なくとも２個以上のリンク機構の、伸縮しても高さ位置が変化しない部位の枢支ピンにほぼ垂直状態になるように取付けられた複数個の支柱とで構成されていることを特徴とする請求項１記載の天井目地カバー装置。
【請求項３】
伸縮リンク機構は四角枠が複数個接続された状態のパンタグラフ形状の少なくとも２個以上のリンク機構と、この少なくとも２個以上のリンク機構の複数個の四角枠を構成する対向するリンク部材のほぼ中央部に両端部が枢支された中央部に中央枢支部を有する中央リンク部材と、前記少なくとも２個以上のリンク機構に取付けられた一方の建物の通路の両側部の躯体および他方の建物の通路の両側部の躯体に枢支させることができる枢支具と、前記少なくとも２個以上のリンク機構の、伸縮しても高さ位置が変化しない部位の枢支ピンおよび中央リンク部材の中央枢支部にほぼ垂直状態になるように取付けられた複数個の支柱とで構成されていることを特徴とする請求項１記載の天井目地カバー装置。
【発明の詳細な説明】
【技術分野】
【０００１】
本発明は目地部を介して設けられる渡り通路等の目地部の天井部位を覆うことができる天井目地カバー装置に関する。
【背景技術】
【０００２】
従来の渡り通路等の目地部の天井部位は開放状態であったり、一方の建物の渡り通路の目地部側の天井躯体の上面に後端部を固定し、他端部を他方の建物の渡り通路の目地部側の天井躯体の上面にスライド移動可能に支持させた天井カバーを設けることが考えられている。
【０００３】
しかしながら、目地部の幅寸法が大きいと天井カバーが大きくなり、設置することができないとともに、一方の建物と他方の建物とが免震建物の場合、変動量を１２００ミリメートルに設定することが良くあり、このような変動量には天井カバーが衝突して損傷するので、使用できないという欠点があった。
【特許文献１】特許第３１９１２１４
【発明の開示】
【発明が解決しようとする課題】
【０００４】
本発明は以上のような従来の欠点に鑑み、渡り通路等の目地部の天井部位を確実に覆うことができるとともに、異なる大きな前後左右方向の揺れ動きも確実に吸収して、損傷することのない天井目地カバー装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は複数個の支柱の間隔を伸縮可能で、かつ伸縮しても高さ位置が変化しない部位に枢支ピンで枢支され、一端部が一方の建物の通路の両側部の躯体に枢支され、他端部が他方の建物の通路の両側部の躯体に枢支された一対の伸縮リンク機構と、この一対の伸縮リンク機構の対応する部位の複数個の支柱の上部に両端部が取付けられた複数個の天井パネル支持杆と、この複数個の天井パネル支持杆に先端部が重なり合うように取付けられた複数枚の天井パネルとで天井目地カバー装置を構成している。
【発明の効果】
【０００７】
以上の説明から明らかなように、本発明にあっては次に列挙する効果が得られる。
【０００８】
（１）複数個の支柱の間隔を伸縮可能で、かつ伸縮しても高さ位置が変化しない部位に枢支ピンで枢支され、一端部が一方の建物の通路の両側部の躯体に枢支され、他端部が他方の建物の通路の両側部の躯体に枢支された一対の伸縮リンク機構と、この一対の伸縮リンク機構の対応する部位の複数個の支柱の上部に両端部が取付けられた複数個の天井パネル支持杆と、この複数個の天井パネル支持杆に先端部が重なり合うように取付けられた複数枚の天井パネルとで構成されているので、左右の建物が地震で異なる前後左右方向に移動した場合に、一対の伸縮リンク機構が伸縮したり、回動して、その揺れ動きを吸収することができる。
したがって、該一対の伸縮リンク機構の対応する複数個の支柱の上部に両端部が取付けられた複数個の天井パネル支持杆も同様に移動し、該複数個の天井パネル支持杆に取付けられた天井パネルも同様に移動して、その揺れ動きを吸収することができる。
【０００９】
（２）前記（１）によって、複数個の天井パネルの先端部が重なり合うように取付けられているので、大きな間隔の目地部であっても、楽に設置することができる。
【００１０】
（３）前記（１）によって、一対の伸縮リンク機構を用いているので、大きな伸縮移動が可能で、大きな揺れ動きを確実に吸収することができる。
【００１１】
（４）請求項２、３も前記（１）〜（３）と同様な効果が得られる。
【発明を実施するための最良の形態】
【００１２】
以下、図面に示す本発明を実施するための最良の形態により、本発明を詳細に説明する。
【００１３】
図１ないし図９に示す本発明を実施するための最良の第１の形態において、１は一方の建物２と他方の建物３とを連通する目地部４を介して設けられた渡り通路５の目地部の天井部分を覆う本発明の天井目地カバー装置で、この天井目地カバー装置１は複数個の支柱６間の間隔を伸縮可能に支持する一端部が一方の建物２の渡り通路５の両側部の躯体５ａ、５ａに枢支され、他端部が他方の建物３の渡り通路５の両側部の躯体５ａ、５ａに枢支された一対の伸縮リンク機構７、７と、この一対の伸縮リンク機構７、７の対応する部位の複数個の支柱６、６の上部に両端部が取付けられた複数個の天井パネル支持杆８と、この複数個の天井パネル支持杆８に先端部が重なり合うように取付けられた複数枚の天井パネル９とで構成されている。
【００１４】
前記一対の伸縮リンク機構７、７は図４に示すように、四角枠が複数個接続された状態のパンタグラフ形状の少なくとも２個以上、本発明の実施の形態では一対の上・下２個のリンク機構１０、１０、１０、１０と、このリンク機構１０、１０、１０、１０の両端部の枢支部１０ａ、１０ａ、１０ａ、１０ａに取付けられた一方の建物２の渡り通路５の両側部の躯体５ａ、５ａおよび、他方の建物３の渡り通路５の両側部の躯体５ａ、５ａに固定されたパイプ材製の支柱６Ａ、６Ａ、６Ａ、６Ａ、この支柱６Ａ、６Ａ、６Ａ、６Ａに水平方向に回動可能に取付けられた回動支持板１１、１１、１１、１１、１１、１１、１１、１１および、この回動支持板１１、１１、１１、１１、１１、１１、１１、１１に前記リンク機構１０、１０、１０、１０の端部を枢支する枢支ピン１２、１２、１２、１２とからなる枢支具１３、１３、１３、１３と、前記リンク機構１０、１０、１０、１０の、伸縮しても高さが変化しない部位の枢支ピン１２、１２にほぼ垂直状態になるように取付けられたパイプ材製の複数本の支柱６とで構成されている。
【００１５】
前記複数個の天井パネル支持杆８は図５に示すように、両端部が前記一対の伸縮リンク機構７、７の対応する部位の支柱６、６および６Ａ、６Ａ上に位置できる長さの天井パネル支持杆本体１４と、この天井パネル支持杆本体１４の両端部に固定された、前記支柱６、６あるいは６Ａ、６Ａ内へスライド移動可能に挿入される係合ピン１５、１５とで構成されている。
【００１６】
前記複数枚の天井パネル９は図６に示すように、上部に天井パネル支持杆８に複数本のビス１６で固定することができる取付け部１７が形成され、該取付け部１７よりコーナー部が傾斜面１８に形成されたほぼＬ字状に曲げられた天井パネル本体１９とで構成され、先端部は隣りの天井パネル９と重なり合うように配置されるものである。
なお、複数枚の天井パネル９は、複数個の天井パネル支持杆８を同一高さに設定した場合、天井パネル９の材料の厚さ分だけ順次高さが異なるように形成された天井パネルを用いる。
また、同じ大きさの天井パネルを使用する場合、天井パネルの材料の厚さ寸法分だけ複数個の天井パネル支持杆８を順次高く、あるいは低くなるように設定するとよい。
【００１７】
上記構成の天井目地カバー装置１は、通常時には図１および図３に示すように目地部の天井は複数枚の天井パネル９によって覆われた状態になっている。
地震によって目地部４が異なる左右方向に揺れ動いて、目地部４が広くなった場合には、図７に示すように一対の伸縮リンク機構７、７が伸長し、支柱６の間隔が等間隔で広くなることにより、複数個の天井パネル支持杆８の間隔も広くなり、複数枚の天井パネル９が離れる方向にスライド移動して、その揺れ動きを吸収する。
また、目地部４が狭くなった場合は、図８に示すように一対の伸縮リンク機構７、７が収縮し、支柱６の間隔が等間隔で狭くなることにより、複数個の天井パネル支持杆８の間隔も狭くなり、複数枚の天井パネル９の重なり合う部分が多くなるようにスライド移動して、その揺れ動きを吸収する。
さらに、異なる前後方向に揺れ動いた場合、図９に示すように一対の伸縮リンク機構７、７の回動支持板１１、１１、１１、１１、１１、１１、１１、１１が回動するとともに、リンク機構１０、１０、１０、１０が伸縮して、その揺れ動きを吸収する。
この時、複数枚の天井パネル９の重なり合う部分はスライド移動し、損傷することなく、その揺れ動きを吸収する。
なお、揺れ動きが停止した場合には、自動的に元の状態へ戻る。
[発明を実施するための異なる形態]
【００１８】
次に、図１０ないし図２０に示す本発明を実施するための異なる形態につき説明する。なお、これらの本発明を実施するための異なる形態の説明に当って、前記本発明を実施するための最良の第１の形態と同一構成部分には同一符号を付して重複する説明を省略する。
【００１９】
図１０ないし図１３に示す本発明を実施するための第２の形態において、前記本発明を実施するための最良の第１の形態と主に異なる点は、支柱６、６Ａの上部に持ち出しアーム２０を介して天井パネル支持杆８を受ける受けパイプ２１を形成した一対の伸縮リンク機構７Ａ、７Ａを用いるとともに、該一対の伸縮リンク機構７Ａ、７Ａの内側に位置する支柱６、６Ａに先端部が重なり合う壁パネル２２をそれぞれ取付けた点で、このような一対の伸縮リンク機構７Ａ、７Ａを用いて構成した天井目地カバー装置１Ａにしても、前記本発明を実施するための最良の第１の形態と同様な作用効果が得られる。
【００２０】
図１４ないし図１７に示す本発明を実施するための第３の形態において、前記本発明を実施するための最良の第１の形態と主に異なる点は、リンク機構１０、１０、１０、１０、このリンク機構１０、１０、１０、１０の複数個の四角枠を構成する対向するリンク部材１０ｂ、１０ｂのほぼ中央部に、両端部が枢支ピン２３、２３で枢支された中央枢支部２４を有する中央リンク部材２５、この中央リンク部材２５の中央枢支部２４とリンク機構１０、１０、１０、１０の伸縮により、高さが変化しない部位の枢支部にそれぞれ支柱６、６を設けた一対の伸縮リンク機構７Ｂ、７Ｂと、天井パネル支持杆８に上下方向に移動できるように長孔２６を介してビス１６で取付けられた天井パネル９Ａを用いた点で、このような一対の伸縮リンク機構７Ｂ、７Ｂと天井パネル９Ａを用いて構成した天井目地カバー装置１Ｂにしても、前記本発明を実施するための最良の第１の形態と同様な作用効果が得られる。
【００２１】
図１８ないし図２０に示す本発明を実施するための第４の形態において、前記本発明を実施するための最良の第１の形態と主に異なる点は、一方の建物２の他方の建物３へ、渡り通路５と連通させる外壁面に形成された開口部２７の両側部の躯体２７ａ、２７ａに、一対の伸縮リンク機構７、７を取付けた点で、このように一対の伸縮リンク機構７、７を取付けて構成した天井目地カバー装置１Ｃにしても、前記本発明を実施するための最良の第１の形態と同様な作用効果が得られる。
【００２２】
なお、一方の建物２の外壁面に形成された開口部の両側部の躯体と、他方の建物３の外壁面に形成された開口部の両側部の躯体とに一対の伸縮リンク機構を取付けた天井目地カバー装置にしてもよい。
【産業上の利用可能性】
【００２３】
本発明は天井目地カバー装置を製造する産業で利用される。
【図面の簡単な説明】
【００２４】
【図１】本発明を実施するための最良の第１の形態の平面図。
【図２】本発明を実施するための最良の第１の形態の正面図。
【図３】図１の３−３線に沿う断面図。
【図４】本発明を実施するための最良の第１の形態の伸縮リンク機構の説明図。
【図５】本発明を実施するための最良の第１の形態の天井パネル支持杆の説明図。
【図６】本発明を実施するための最良の第１の形態の天井パネルの説明図。
【図７】本発明を実施するための最良の第１の形態の目地部が広くなった動作説明図。
【図８】本発明を実施するための最良の第１の形態の目地部が狭くなった動作説明図。
【図９】本発明を実施するための最良の第１の形態の異なる前後方向に揺れ動いた動作説明図。
【図１０】本発明を実施するための第２の形態の平面図。
【図１１】本発明を実施するための第２の形態の正面図。
【図１２】図１０の１２−１２線に沿う断面図。
【図１３】本発明を実施するための第２の形態の伸縮リンク機構の説明図。
【図１４】本発明を実施するための第３の形態の平面図。
【図１５】本発明を実施するための第３の形態の正面図。
【図１６】本発明を実施するための第３の形態の伸縮リンク機構の説明図。
【図１７】本発明を実施するための第３の形態の天井パネルの取付け状態を示す説明図。
【図１８】本発明を実施するための第４の形態の平面図。
【図１９】本発明を実施するための第４の形態の正面図。
【図２０】図１９の２０−２０線に沿う断面図。
【符号の説明】
【００２５】
１、１Ａ、１Ｂ、１Ｃ：天井目地カバー装置、
２：一方の建物、      ３：他方の建物、
４：目地部、          ５：渡り通路、  
６、６Ａ：支柱、      ７、７Ａ、７Ｂ：伸縮リンク機構、
８：天井パネル支持杆、    ９、９Ａ：天井パネル、
１０：リンク機構、      １１：回動支持板、
１２：枢支ピン、      １３：枢支具、
１４：天井パネル支持杆本体、  １５：係合ピン、
１６：ビス、        １７：取付け部、
１８：傾斜面、      １９：天井パネル本体、
２０：持ち出しアーム、    ２１：受けパイプ、
２２：壁パネル、      ２３：枢支ピン、
２４：中央枢支部、      ２５：中央リンク部材、
２６：長孔、        ２７：開口部。
【図１】
0004976981.tif 000002
【図２】
0004976981.tif 000003
【図３】
0004976981.tif 000004
【図４】
0004976981.tif 000005
【図５】
0004976981.tif 000006
【図６】
0004976981.tif 000007
【図７】
0004976981.tif 000008
【図８】
0004976981.tif 000009
【図９】
0004976981.tif 000010
【図１０】
0004976981.tif 000011
【図１１】
0004976981.tif 000012
【図１２】
0004976981.tif 000013
【図１３】
0004976981.tif 000014
【図１４】
0004976981.tif 000015
【図１５】
0004976981.tif 000016
【図１６】
0004976981.tif 000017
【図１７】
0004976981.tif 000018
【図１８】
0004976981.tif 000019
【図１９】
0004976981.tif 000020
【図２０】
0004976981.tif 000021